(57)【特許請求の範囲】
【請求項１】
本体部に対して上蓋部が開閉可能に構成された折りたたみ式の無線端末であって、
前記本体部に対して前記上蓋部を開閉するモータと、
前記モータの動作を開始するためのスイッチ手段と、
前記上蓋部が前記本体部に対して閉じた状態で着信信号の受信中に前記スイッチ手段が操作されると、前記モータを駆動して前記上蓋部を開き、前記着信信号に応答して当該無線端末が通話状態となるよう通話接続処理を行う制御手段と、
前記スイッチ手段が操作されてから前記モータの動作が停止するまで、マイクを介して入力される音声をミュートするミュート手段と、
を備えることを特徴とする無線端末。
【請求項２】
前記モータは、前記スイッチ手段が操作されてから、所定の時間が経過すると、または、前記上蓋部が完全に開いた状態になると停止する請求項１に記載の無線端末。
【請求項３】
前記制御手段が前記着信信号に応答して自動的に通話接続処理を行うか否かが設定された設定記憶手段を備え、
前記制御手段は、前記設定記憶手段に記憶されている設定に応じて前記通話接続処理を行うことを特徴とする請求項１に記載の無線端末。
【請求項４】
前記制御手段は、前記設定記憶手段に前記通話接続処理を行うか否かが登録個人毎若しくは登録番号毎または登録グループ毎に設定されているとき、前記設定記憶手段に記憶されている設定と前記着信信号に含まれている発信番号とから前記通話接続処理を行うかを判断し、前記発信番号が前記通話接続処理を行う設定であれば、前記通話接続処理を行うことを特徴とする請求項３に記載の無線端末。
【請求項５】
前記本体部に対して前記上蓋部が回動可能なように前記本体部と前記上蓋部とを連結するヒンジ部を備え、
前記スイッチ手段は、前記本体部側面の前記ヒンジ部の近傍に配置されていることを特徴とする請求項１〜４のいずれか一項に記載の無線端末。
【請求項６】
前記モータは前記ヒンジ部内部に設けられていることを特徴とする請求項５に記載の無線端末。
【請求項７】
前記制御手段は、前記上蓋部が前記本体部に対して開いた状態で当該無線端末が通話接続されている状態にあるときに前記スイッチ手段が操作されると、前記通話接続を切断し、前記モータを駆動制御して前記上蓋部を閉じることを特徴とする請求項１〜６のいずれか一項に記載の無線端末。
【請求項８】
コンピュータを請求項１〜４のいずれか一項に記載の無線端末に含まれる制御手段として実現するための通話開始プログラム。
【発明の詳細な説明】
【０００１】
【発明の属する技術分野】
本発明は、単純な操作で通話可能な状態とすることのできる折りたたみ式の無線端末、通話開始方法および通話開始プログラムに関する。
【０００２】
【従来の技術】
折りたたみ式の携帯電話機を用いた通話は、通常、その折りたたみ構造を開いた状態で行われる。折りたたみ式の携帯電話機が着信すると使用者は折りたたみ構造を手で開いた後に通話ボタンを押すことによって通話を開始していたが、特開昭６４−８０１４５号公報（特許第２０１５６６４号）には、着信時に折りたたみ構造を手で開くと自動的に着信応答する携帯電話機が開示されている。当該公報に記載の携帯電話機は、折りたたみ可能なキャビネットと、キャビネットの開閉を検出する開閉検出手段と、ベル信号を検出するベル信号検出手段とを備えており、ベル信号の着信中にキャビネットが閉状態から開状態になると自動的に通話状態となる。
【０００３】
【発明が解決しようとする課題】
このように、上記従来の携帯電話機では、キャビネットを開けば自動的に通話状態になるものの、キャビネットを開くといった手間が必要であった。キャビネットの開閉は通常、両手で行うため、片手がふさがっているとキャビネットをなかなか開けられず応答が遅れてしまう。したがって、折りたたみ式であっても、着信があった際に両手を使わずとも単純な操作で応答可能な携帯電話機が要望されていた。
【０００４】
本発明は、上記従来の事情に鑑みてなされたものであって、単純な操作で通話を開始することのできる折りたたみ式の無線端末、通話開始方法および通話開始プログラムを提供することを目的としている。
【０００５】
【課題を解決するための手段】
上記課題を解決するために、本発明に係る折りたたみ式の無線端末は、本体部に対して上蓋部が開閉可能に構成された折りたたみ式の無線端末であって、前記本体部に対して前記上蓋部を開閉するモータと、前記モータの動作を開始するためのスイッチ手段と、前記上蓋部が前記本体部に対して閉じた状態で着信信号の受信中に前記スイッチ手段が操作されると、前記モータを駆動して前記上蓋部を開き、前記着信信号に応答して当該無線端末が通話状態となるよう通話接続処理を行う制御手段と、前記スイッチ手段が操作されてから前記モータの動作が停止するまで、マイクを介して入力される音声をミュートするミュート手段と、を備えるものである。このように、ミュート部を動作させて発信者に上蓋部開閉手段から発生する雑音が聞こえないようにすることができる。なお、前記モータは、前記スイッチ手段が操作されてから、所定の時間が経過すると、または、前記上蓋部が完全に開いた状態になると停止する。
【００１０】
また、本発明に係る無線端末では、前記制御手段は、前記上蓋部が前記本体部に対して開いた状態で当該無線端末が通話接続されている状態にあるときに前記スイッチ手段が操作されると、前記通話接続を切断し、前記モータを駆動制御して前記上蓋部を閉じる。したがって、通話接続を切断して上蓋部を閉じるまでの動作をスイッチ手段を操作するだけで行うことができる。
【００１１】
また、本発明に係る無線端末は、前記制御手段が前記着信信号に応答して自動的に通話接続処理を行うか否かが設定された設定記憶手段を備え、前記制御手段は、前記設定記憶手段に記憶されている設定に応じて前記通話接続処理を行う。
【００１２】
また、本発明に係る無線端末は、前記制御手段は、前記設定記憶手段に前記通話接続処理を行うか否かが登録個人毎若しくは登録番号毎または登録グループ毎に設定されているとき、前記設定記憶手段に記憶されている設定と前記着信信号に含まれている発信番号とから前記通話接続処理を行うかを判断し、前記発信番号が前記通話接続処理を行う設定であれば、前記通話接続処理を行う。このように、上蓋部が開いた後の通話接続処理を設定に応じて実行するまたは実行せずに次の操作があるまで待機するため、無線端末の利用者は発信者が誰であるかを確認した上で通話を開始することができる。
【００１５】
また、本発明に係る無線端末は、前記本体部に対して前記上蓋部が回動可能なように前記本体部と前記上蓋部とを連結するヒンジ部を備え、前記スイッチ手段は、前記本体部側面の前記ヒンジ部の近傍に配置されている。したがって、無線端末の利用者は手で無線端末を持った状態において容易にスイッチ手段を操作することができる。
【００１６】
また、本発明に係る無線端末は、前記上蓋部開閉手段は前記ヒンジ部内部に設けられている。
【００１８】
さらに、本発明に係る通話開始プログラムは、コンピュータを上記無線端末に含まれる制御手段として実現するためのものである。
【００１９】
【発明の実施の形態】
以下に説明する無線端末は折りたたみ式であって、上蓋部が本体部に対して閉じた状態にあるとき着信信号の受信中にモータ駆動ボタンが押されると、モータが駆動して上蓋部が開き、着信信号に応答して当該無線端末が通話状態となるよう通話接続処理を行うものである。以下、本発明に係る無線端末の実施の形態について、図面を参照して詳細に説明する。なお、以下に行う実施形態の説明では、本発明に係る無線端末およびこの無線端末を用いた通話開始方法について詳述するが、本発明に係る通話開始プログラムについては、通話開始方法を実行させるためのプログラムであることから、その説明は以下の通話開始方法の説明に含まれる。
【００２０】
図１は、本発明の一実施形態に係る無線端末を示す外観図である。同図において、本実施形態の無線端末は、本体部１０１と、上蓋部１０３と、本体部１０１に対して上蓋部１０３が回動可能なように双方を連結するヒンジ部１０５とを備えた折りたたみ式の携帯電話やＰＨＳ等である。なお、ヒンジ部１０５の内部には上蓋部１０３を開閉するためのモータ１１１が設けられている。また、本体部１０１には、通話ボタン１１３、終話ボタン１１５およびその他のボタンを含む操作ボタン１１７と、マイク１１９とが設けられ、特に、ヒンジ部１０５近傍の左右いずれかの側面には、モータ１１１を駆動するためのモータ駆動ボタン１２１が設けられている。また、上蓋部１０３には表示部１２３およびスピーカ１２５が設けられている。
【００２１】
〔第１の実施形態〕
図２に、第１の実施形態の無線端末の内部構成を表すブロック図を示す。同図において、図１（無線端末の外観図）と重複する部分には同一の符号が付されている。図２に示すように、第１の実施形態の無線端末１００は、アンテナ１５１と、無線部１５３と、特許請求の範囲の制御手段に該当する制御部１５５と、上蓋部開閉手段に該当するモータ１１１と、スイッチ手段に該当するモータ駆動ボタン１２１と、操作ボタン１１７と、上蓋部開閉状態検出手段に該当する上蓋状態検出部１５７とを備えて構成されている。
【００２２】
以下、図２に示した無線端末１００が有する各構成要素について説明する。但し、モータ１１１、モータ駆動ボタン１２１および操作ボタン１１７については上述したため説明を省略する。まず、アンテナ１５１は無線信号を送受信するものであり、無線部１５３は信号を変復調等するものである。また、制御部１５５は、無線端末１００の各構成要素を制御したり、各構成要素から得られた情報を処理するものである。例えば、モータ駆動ボタン１２１や操作ボタン１１７が押されたことを認識したり、モータ１１１の駆動を制御したり、上蓋状態検出部１５７の検出結果を認識したり、無線部１５３の動作を制御する。また、上蓋状態検出部１５７は、上蓋部１０３の開閉状態を検出するものであり、特に、上蓋部１０３が本体部１０１に対して完全に開いた状態となったかまたは閉じた状態となったかを検出する。
【００２３】
制御部１５５は、上蓋状態検出部１５７において、閉状態の上蓋部１０３が完全に開状態となったこと、または開状態の上蓋部１０３が完全に閉状態となったことが検出されたとき、駆動中のモータ１１１を停止する。なお、上蓋状態検出部１５７の代わりに、モータ１１１の駆動時間を計測する特許請求の範囲の駆動時間計測手段に該当するタイマー部１５９を設けても良い。このとき、制御部１５５は、モータ１１１が駆動しだしてからタイマー部１５９で所定時間が計測された後に、モータ１１１を停止する。但し、前記所定時間は、モータ１１１が駆動しだしてから完全に開状態または閉状態となるまでの予め計測しておいた時間である。
【００２４】
次に、本実施形態における折りたたみ式の無線端末１００を用いた通話開始方法について、図３および図４を参照して説明する。図３および図４は、第１の実施形態の無線端末を用いた通話開始方法を説明するフローチャートである。
【００２５】
まず、ステップＳ３０１において、制御部１５５によって当該無線端末１００が着信信号を受信したことが認識されると、ステップＳ３０３に進んで上蓋部１０３が開いた状態か閉じた状態かが判断される。本ステップＳ３０３で上蓋部１０３が開状態と判断されたとき、ステップＳ３０５において通話ボタン１１３が押されると、無線端末１００はステップＳ３１７に示すように通話状態となる。一方、ステップＳ３０３で上蓋部１０３が閉状態と判断されたとき、ステップＳ３０７においてモータ駆動ボタン１２１が押されると、ステップＳ３０９に示すように制御部１５５はモータ１１１を駆動して上蓋部１０３が開かれる。
【００２６】
次に、ステップＳ３１１で、上蓋状態検出部１５７によって上蓋部１０３が開状態となったことが検出されたとき、またはタイマー部１５９で所定時間が計測されたとき、ステップＳ３１３において制御部１５５はモータ１１１を停止する。次に、ステップＳ３１５において、制御部１５５は着信信号に応答して通話接続処理を行うため、ステップＳ３１７に示すように無線端末１００は通話状態となる。
【００２７】
次に、無線端末１００が通話状態であるときに、図４に示すステップＳ３１９においてモータ駆動ボタン１２１が押されると、無線端末１００はステップＳ３２１に示すように通話は切断される。通話が切断されると、ステップＳ３２３において制御部１５５はモータ１１１を駆動して上蓋部１０３が閉じられる。次に、ステップＳ３２５で、上蓋状態検出部１５７によって上蓋部１０３が閉状態となったことが検出されたとき、またはタイマー部１５９で所定時間が計測されたとき、ステップＳ３２７において制御部１５５はモータ１１１を停止する。一方、ステップＳ３１９でモータ駆動ボタン１２１が押されず、ステップＳ３２９において終話ボタン１１５が押されると、無線端末１００はステップＳ３３１に示すように通話は切断される。
【００２８】
このように、着信信号に応答して通話を開始するためには、着信信号受信の際に上蓋部１０３が閉じた状態にあってはモータ駆動ボタン１２１を押せば、上蓋部１０３がモータ１１１によって開かれた後、自動的に通話接続処理されるため通話が可能な状態となる。なお、上蓋部１０３が開いた状態にあっては、通話ボタン１１３を押せば通話を開始できる。また、通話を終了する際は、モータ駆動ボタン１２１を押せば通話が切断された後、上蓋部１０３がモータ１１１によって自動的に閉じられる。なお、上蓋部１０３を閉じないで通話を終了するときには終話ボタン１１５を押せば良い。
【００２９】
さらに、本実施形態の無線端末１００を用いて発信する際には、モータ駆動ボタン１２１を押せば制御部１５５がモータ１１１を駆動して上蓋部１０３が開かれるため、利用者は相手を選択して通話ボタン１１３を押せば相手を呼び出すことができる。
【００３０】
以上説明したように、本実施形態の無線端末１００および通話開始方法によれば、上蓋部１０３が閉じた状態で着信信号の受信中にモータ駆動ボタン１２１を押せば、上蓋部１０３がモータ１１１によって開かれた後、自動的に通話接続処理されるため、無線端末１００の利用者は、上蓋部が閉じた状態であってもモータ駆動ボタン１２１を押すだけの単純な操作で通話を開始することができる。したがって、片手がふさがっているような場合でも簡単に着信応答できる。結果として、操作性の良い無線端末を提供することができる。
【００３１】
また、モータ１１１が停止した後に通話接続処理が行われるため、モータ１１１の駆動と同時に通話接続処理が行われる場合と比較して、通話状態においてモータ１１１の音がマイク１１９に入り込んだり、モータ１１１から発生するノイズ等が通信状態に悪影響を与えるといったことがない。
【００３２】
さらに、モータ駆動ボタン１２１は、本体部１０１におけるヒンジ部１０５近傍の左右いずれかの側面に設けられているため、無線端末１００の利用者は手で無線端末を持った状態において容易にモータ駆動ボタン１２１を押すことができる。
【００３３】
〔第２の実施形態〕
図５に、第２の実施形態の無線端末の内部構成を表すブロック図を示す。同図において、図２（第１の実施形態の無線端末の内部構成図）と重複する部分には同一の符号を付して説明を省略する。図５に示すように、第２の実施形態の無線端末２００は、第１の実施形態の無線端末１００が有する構成要素に加えて、特許請求の範囲の設定記憶手段に該当する設定記憶部２０１を備えている。設定記憶部２０１は、アンテナ１５１が受信した着信信号に応答して通話接続処理を行うか否かといった設定や、個人毎若しくは電話番号毎またはグループ毎に登録されている同様の設定を記憶するものである。なお、各設定は操作ボタン１１７を操作することによって行われる。
【００３４】
本実施形態の無線端末２００を用いた通話開始方法では、図３に示したフローチャート中のステップＳ３１５を開始する前に設定記憶部２０１に記憶されている設定を確認するためのステップを有する。例えば、通話接続処理を自動的に行わないといった設定がなされているとき、制御部１５５は、この設定に従ってステップＳ３１５を行わず、上蓋部１０３が開いて着信信号の受信状態のまま次に操作が行われるまで待機する。
【００３５】
また、個人毎若しくは電話番号毎またはグループ毎に通話接続処理を自動的に行う／行わないといった設定がなされているとき、制御部１５５は、着信信号に含まれている発信番号が通話接続処理を自動的に行う設定であればそのままステップＳ３１５に進み、通話接続処理を行わない設定であれば、制御部１５５はステップＳ３１５を行わず、上蓋部１０３が開いて着信信号の受信状態のまま次に操作が行われるまで待機する。
【００３６】
無線端末２００の利用者が表示部１２３に表示された発信番号またはこれに対応する発信者名を確認した後、通話ボタン１１３が押されると、制御部１５５はステップＳ３１５と同様の通話接続処理を行い、通話が開始される。
【００３７】
以上説明したように、本実施形態の無線端末２００および通話開始方法によれば、上蓋部１０３が開いた後の通話接続処理を設定に応じて実行するまたは実行せずに次の操作があるまで待機するため、無線端末２００の利用者は発信者が誰であるかを確認した上で通話を開始することができる。
【００３８】
〔第３の実施形態〕
図６に、第３の実施形態の無線端末の内部構成を表すブロック図を示す。同図において、図２（第１の実施形態の無線端末の内部構成図）と重複する部分には同一の符号を付して説明を省略する。図６に示すように、第３の実施形態の無線端末３００は、第１の実施形態の無線端末１００が有する構成要素に加えて特許請求の範囲のミュート手段に該当するミュート部３０１を備えている。ミュート部３０１は、マイク１１９を介して入力される音声をミュートするものである。
【００３９】
本実施形態では、第１の実施形態のようにモータ１１１が停止した後に通話接続処理を行うのではなく、モータ駆動ボタン１２１が押されるとモータ１１１の駆動と略同時に通話接続処理を行う。但し、通話接続処理が行われることにより通話が開始するとモータ１１１から発生した音がノイズとしてマイク１１９に入力されてしまうため、これを防ぐためにモータ１１１が駆動している間はミュート部３０１を動作させている。
【００４０】
図７に、第３の実施形態の無線端末３００を用いた通話開始方法を説明するフローチャートを示す。第１の実施形態の図３および図４におけるステップＳ３０１〜Ｓ３０９およびステップＳ３１７〜Ｓ３３１は本実施形態のフローと同様であるため、説明を省略する。
【００４１】
本実施形態の通話開始方法は、図７に示すように、モータ駆動ボタン１２１が押されて（ステップＳ３０７）モータ１１１が駆動すると（ステップＳ３０９）、ステップＳ７０１において制御部１５５は通話接続処理を行い、ステップＳ７０３に示すようにミュート部３０１を動作させる。次に、ステップＳ７０５において、上蓋状態検出部１５７によって上蓋部１０３が開状態となったことが検出されたとき、またはタイマー部１５９で所定時間が計測されたとき、ステップＳ７０７に示すように制御部１５５はモータ１１１を停止する。次に、ステップＳ７０９におい制御部１５５がミュート部３０１の動作を停止すると、無線端末３００を用いて通話が可能になる。
【００４２】
以上説明したように、本実施形態の無線端末３００および通話開始方法によれば、モータ駆動ボタン１２１が押されると制御部１５５はモータ１１１を起動すると略同時に通話接続処理も行うが、ミュート部３０１を動作させて発信者にモータ音が聞こえないようにすることができる。
【００４３】
上記第１〜第３の実施形態では、上蓋部１０３の開閉動作がモータ１１１によって行われる場合について説明されているが、従来のように手動で行うこともできる。また、モータ駆動ボタン１２１に他の機能を割り当てて、例えば、終話ボタン１１５のように電源ボタンとして機能させても良い。
【００４４】
【発明の効果】
以上説明したように、本発明の折りたたみ式の無線端末、通話開始方法および通話開始プログラムによれば、上蓋部が閉じた状態であっても単純な操作で通話を開始することができる。
【図面の簡単な説明】
【図１】本発明の一実施形態に係る無線端末を示す外観図
【図２】第１の実施形態の無線端末の内部構成を表すブロック図
【図３】第１の実施形態の無線端末を用いた通話開始方法を説明するフローチャート
【図４】第１の実施形態の無線端末を用いた通話開始方法を説明するフローチャート
【図５】第２の実施形態の無線端末の内部構成を表すブロック図
【図６】第３の実施形態の無線端末の内部構成を表すブロック図
【図７】第３の実施形態の無線端末を用いた通話開始方法を説明するフローチャート
【符号の説明】
１００，２００，３００  無線端末
１０１  本体部
１０３  上蓋部
１０５  ヒンジ部
１１１  モータ
１１３  通話ボタン
１１５  終話ボタン
１１９  マイク
１２１  モータ駆動ボタン
１２３  表示部
１２５  スピーカ
１５１  アンテナ
１５３  無線部
１５５  制御部
１１７  操作ボタン
１５７  上蓋状態検出部
１５９  タイマー部
２０１  設定記憶部
３０１  ミュート部
【図１】
0004642292.tif 000002
【図２】
0004642292.tif 000003
【図３】
0004642292.tif 000004
【図４】
0004642292.tif 000005
【図５】
0004642292.tif 000006
【図６】
0004642292.tif 000007
【図７】
0004642292.tif 000008